(57)【要約】【課題】  ＣＤとの互換性を保ちながら、ＣＤより高品質のＰＣＭ方式のオーディオデータと１ビットストリーム方式のオーディオデータを伝送する。また、その著作権を管理する。【解決手段】  ２チャネルＰＣＭデータＡ（２ch）と、６チャネルＰＣＭデータ（６ch）と６チャネル１ビットストリームデータＢ（６ch）がそれぞれ、ディスクの第１ピット層１０１ａ、第２ピット層１０２ａ、第３ピット層１０２ｂに記録される。また、第２ピット層１０２ａ、第３ピット層１０２ｂの各リードインエリアにはそれぞれ、６チャネルＰＣＭデータ（６ch）と６チャネル１ビットストリームデータＢ（６ch）の著作権を管理するために第１、第２のＣＧＭＣＡＰＳコードが記録される。【選択図】        図１
2004158191.tif 000002
【特許請求の範囲】
【請求項１】
アナログオーディオ信号がＣＤ規格の４４．１ｋＨｚの第１のサンプリング周波数と１６ビットの量子化ビット数でＡ／Ｄ変換された第１のＰＣＭデータが記録されたＣＤ記録部と、アナログオーディオ信号が前記第１のサンプリング周波数より高いサンプリング周波数と１６ビットを超える量子化ビット数でＡ／Ｄ変換された第２のＰＣＭデータまたはアナログオーディオ信号の１ビットストリームデータが記録されたＤＶＤ記録部とを有する構造を有し前記第２のＰＣＭデータまたは１ビットストリームデータがＤＶＤ基本フォーマットにおけるオーディオパック（Ａパック）により収納されコピー禁止コードを含む著作権管理データとディスク識別データと共にオーディオディスクに記録されている情報を再生するオーディオディスク再生装置であって、
前記ＣＤ記録部かＤＶＤ記録部のいずれか一方の信号を選択的に読み出す読み出し手段と、
前記ディスク識別データを検出する手段と、
前記著作権管理データを検出する手段と、
検出された著作権管理データに基づきコピー禁止または許可を制御する手段と、
前記読み出し手段によって読み出された第１のＰＣＭデータをデコードするＣＤデコーダと、
前記読み出し手段によって読み出された第２のＰＣＭデータまたは１ビットストリームデータを蓄積するオーディオバッファと、
前記オーディオバッファから取り出される信号をデコードするオーディオデコーダと、
前記ＣＤデコーダまたはオーディオでコーダから取り出される信号をＤ／Ａ変換するＤ／Ａ変換器と、
から構成されるオーディオディスク再生装置。
【請求項２】
前記オーディオディスク再生装置によって再生されるオーディオディスクであって、
前記コピー禁止コードを含む著作権管理データが前記第２のＰＣＭデータまたは１ビットストリームデータに埋め込まれていることを特徴とするオーディオディスク。
【発明の詳細な説明】
【技術分野】
【０００１】
本発明は、音楽ソースのようなオーディオデータを記録したオーディオディスク再生装置並びにオーディオディスクに関する。
【背景技術】
【０００２】
オーディオ用光ディスクとしては、ＣＤ（Compact Disc）が市場に出てから１０数年が経過し、オーディオ情報の記録媒体としては既に従来のカセットテープを凌駕してめざましく普及している。また、デジタルディスクであるＣＤの物理・論理フォーマットは、８ビット固定データ長シンボルのＥＦＭ変調記録方式や、サブコード、オーディオデータ、ＣＲＣなどのデータフォーマットとして確立しており、さらに、各種のアプリケーション機能を付加したＣＤプレーヤが開発されている。
【０００３】
ところで、ＣＤにおけるオーディオ信号は、標本化周波数が４４．１ｋＨｚ、量子化ビット数が１６ビット、左右２チャネルであり、再生周波数帯域幅が約２２ｋＨｚ、Ｓ／Ｎ比が約９６ｄＢの特性を有する。なお、電子出版の分野で利用されているＣＤ−ＲＯＭでは、オーディオデータがＡＤＰＣＭで圧縮されているので上記の特性はＣＤより劣る。
【０００４】
一方、数年来、ＣＤの再現特性に関して上記の再生周波数帯域幅とＳ／Ｎ比は、共に不満足であるという考え方が定着しつつ有り、上記の特性がより優れた次世代オーディオディスクの規格化が要望されている。例えば再生周波数帯域幅としては１００ｋＨｚ、Ｓ／Ｎ比としては１４４〜１２０ｄＢ程度の高い特性が求められている。このような要求を満足させる方式の１つとしては、１ビットストリーム方式（例えば特開平６−２３２７５５号公報）が注目されている。なお、この１ビットストリームデータはＤＳＤ（ダイレクト・ストリーム・デジタル）データとも呼ばれている。この１ビットストリーム方式によれば、ＰＣＭ換算で標本化周波数ｆｓ＝２００ｋＨｚ、量子化ビット数＝２０ビットの場合、伝送レート＝４．００Ｍｂｐｓが必要になるので効率がよい。したがって、１ビットストリーム方式はＰＣＭ方式と比較して優れた利点を有し、また、ＣＤの特性に対する不満足さを十分に補うことができるので、今後、オーディオ機器への採用とその普及が期待される。
【発明の開示】
【発明が解決しようとする課題】
【０００５】
しかしながら、これまでのデジタルオーディオ機器の殆どがＰＣＭ方式を採用しており、必然的に大半の記録媒体のデータフォーマットがＰＣＭ方式であることから、直ちに１ビットストリーム方式のオーディオ機器に切り替わることはない。
【０００６】
一方、マルチメディア時代の本格的な到来を迎えてＤＶＤの規格が定まり、既にその規格に準拠した再生システムが販売されているとともに、ＤＶＤ用のＡＶ（Audio-Visual）ソフトも供給されているので、ＤＶＤが高密度記録媒体として非常に広範に普及することは想像に難くない。そこで、オーディオ伝送系に係る１ビットストリーム方式をＤＶＤのオーディオ規格と両立性をもたせることにより、優れた再生周波数帯域幅とＳ／Ｎ比を有する１ビットストリーム方式の普及も併せて実現することができると考えられる。特にＤＶＤ規格の中のＰＣＭデータに係るオーディオフォーマットに対して両立性を有するようにすれば、従来のＰＣＭ方式の伝送系との相関性も確保することができるので都合がよい。
【０００７】
また、近年では、デジタルオーディオの著作権を尊重する気運が高まっており、したがって、ＣＤより高品質のＰＣＭ方式のオーディオデータと１ビットストリーム方式などのオーディオデータを伝送する場合には、特に高品質オーディオデータのコピープロテクトの問題点が発生する。
【０００８】
そこで、本発明は、ＣＤとの互換性を保ちながら、ＣＤより高品質のＰＣＭ方式のオーディオデータと１ビットストリーム方式のオーディオデータを伝送するオーディオディスク再生装置、オーディオディスクを提供することを目的とする。
【課題を解決するための手段】
【０００９】
本発明は上記目的を達成するために、以下の１）及び２）に記載の手段よりなる。          
【００１０】
すなわち、
１）アナログオーディオ信号がＣＤ規格の４４．１ｋＨｚの第１のサンプリング周波数と１６ビットの量子化ビット数でＡ／Ｄ変換された第１のＰＣＭデータが記録されたＣＤ記録部と、アナログオーディオ信号が前記第１のサンプリング周波数より高いサンプリング周波数と１６ビットを超える量子化ビット数でＡ／Ｄ変換された第２のＰＣＭデータまたはアナログオーディオ信号の１ビットストリームデータが記録されたＤＶＤ記録部とを有する構造を有し前記第２のＰＣＭデータまたは１ビットストリームデータがＤＶＤ基本フォーマットにおけるオーディオパック（Ａパック）により収納されコピー禁止コードを含む著作権管理データとディスク識別データと共にオーディオディスクに記録されている情報を再生するオーディオディスク再生装置であって、
前記ＣＤ記録部かＤＶＤ記録部のいずれか一方の信号を選択的に読み出す読み出し手段と、
前記ディスク識別データを検出する手段と、
前記著作権管理データを検出する手段と、
検出された著作権管理データに基づきコピー禁止または許可を制御する手段と、
前記読み出し手段によって読み出された第１のＰＣＭデータをデコードするＣＤデコーダと、
前記読み出し手段によって読み出された第２のＰＣＭデータまたは１ビットストリームデータを蓄積するオーディオバッファと、
前記オーディオバッファから取り出される信号をデコードするオーディオデコーダと、
前記ＣＤデコーダまたはオーディオでコーダから取り出される信号をＤ／Ａ変換するＤ／Ａ変換器と、
から構成されるオーディオディスク再生装置。
２）前記オーディオディスク再生装置によって再生されるオーディオディスクであって、
前記コピー禁止コードを含む著作権管理データが前記第２のＰＣＭデータまたは１ビットストリームデータに埋め込まれていることを特徴とするオーディオディスク。
【発明の効果】
【００１１】
以上説明したように第１の発明によれば、アナログオーディオ信号がＣＤ規格の４４．１ｋＨｚの第１のサンプリング周波数でＡ／Ｄ変換された第１のＰＣＭデータと、アナログオーディオ信号が前記第１のサンプリング周波数より高いサンプリング周波数でＡ／Ｄ変換された第２のＰＣＭデータと、アナログオーディオ信号の１ビットストリームデータをそれぞれオーディオディスクの第１、第２、第３の層に記録するようにしたので、ＣＤより高品質のＰＣＭ方式のオーディオデータと１ビットストリーム方式のオーディオデータを伝送することができる。
また第２の発明によれば、高品質のＰＣＭデータ及び１ビットストリームデータと共にその著作権管理データを伝送することによりＰＣＭデータ及び１ビットストリームデータの著作権を管理するようにしたので、ＣＤより高品質のＰＣＭ方式のオーディオデータと１ビットストリーム方式のオーディオデータを伝送する場合にそのコピープロテクトの問題点を解決することができる。
【発明を実施するための最良の形態】
【００１２】
以下、図面を参照して本発明の実施の形態を説明する。図１は本発明に係るオーディオディスクの一実施形態の構造を示す説明図、図２は本発明に係るオーディオディスクのエンコード装置の一実施形態を示すブロック図、図３は１ビットストリームデータの他の例をオーディオディスクに記録する場合の情報エリアのフォーマットを示す説明図である。
【００１３】
図４はＤＶＤにおけるパックのフォーマットを示す説明図、図５は本発明に係るオーディオディスクにおけるビデオパックのフォーマットを示す説明図、図６は本発明に係るオーディオディスクにおけるオーディオパックのフォーマットを示す説明図、図７は本発明に係るオーディオディスクにおけるＤＳＩパックのフォーマットを示す説明図、図８は本発明に係るオーディオディスクにおけるＶＢＩパックのフォーマットを示す説明図、図９は本発明に係るオーディオディスクにおけるＣＭＩエリアのフォーマットを示す説明図、図１０は図９のＣＧＭＣＡＰＳコードを詳しく示す説明図、図１１は図９のＣＭＩエリアの変形例を示す説明図である。
【００１４】
また、図１２は本発明に係るオーディオディスクの再生装置を示すブロック図、図１３、図１４は図１２の再生装置のオーディオ再生処理を示すフローチャート、図１５は図１３、図１４の再生時のＣＧＭＣＡＰＳコード処理を示すフローチャート、図１６はオーディオディスクの録音再生装置のコピー時のＣＧＭＣＡＰＳコード処理を示すフローチャートである。
【００１５】
本発明のディスク１００の構造は図１に示すように、ＣＤ層１０１とＤＶＤ層１０２の２層が貼り合わされている。そして、ＣＤ層１０１の上面にはＣＤ規格の第１ピット層１０１ａが形成され、また、下面にはＤＶＤ規格の第２ピット層１０２ａが形成され、さらにＤＶＤ層１０２の上面にはＤＶＤ規格の第３ピット層１０２ｂが形成されている。そして、ＣＤ層１０１の第２ピット層１０２ａ側とＤＶＤ層１０２の第３ピット層１０２ｂ側を貼り合わせることによりディスク１００が製造される。
【００１６】
ここで、マルチチャネル方式としては次の４つの方式が知られている。
（１）ドルビーサラウンド方式
前方Ｌ、Ｃ、Ｒの３チャネル＋後方Ｓの１チャネルの合計４チャネル
（２）ドルビーＡＣ−３方式
前方Ｌ、Ｃ、Ｒ、ＳＷの４チャネル＋後方ＬＳ、ＲＳの２チャネルの合計６チャネル
（３）ＤＴＳ（Digital Theater System）方式
ドルビーＡＣ−３方式と同様に６チャネル（Ｌ、Ｃ、Ｒ、ＳＷ、ＬＳ、ＲＳ）（４）ＳＤＤＳ（Sony Dynamic Digital Sound）方式
前方Ｌ、ＬＣ、Ｃ、ＲＣ、Ｒ、ＳＷの６チャネル＋後方ＬＳ、ＲＳの２チャネルの合計８チャネル
【００１７】
図２は一例として、上記（２）ドルビーＡＣ−３方式において用いられている前方Ｌ、Ｃ、Ｒ、ＳＷの４チャネル＋後方ＬＳ、ＲＳの２チャネルの合計６チャネルをエンコードする装置を示している。図２において、６チャネルＬ、Ｃ、Ｒ、ＳＷ、ＬＳ、ＲＳの各信号はそれぞれローパスフィルタ（ＬＰＦ）１Ｌ、１Ｃ、１Ｒ、１ＳＷ、１ＬＳ、１ＲＳにより帯域制限され、次いでアナログΔΣ変調器２Ｌ、２Ｃ、２Ｒ、２ＳＷ、２ＬＳ、２ＲＳに印加される。
【００１８】
アナログΔΣ変調器２（２Ｌ、２Ｃ、２Ｒ、２ＳＷ、２ＬＳ、２ＲＳ）の各々は、加算器（＋）と、アナログ積分器（∫）と、１ビット（ｂｉｔ）量子化器（Ｑ）と１ビット逆量子化器（Ｚ−１）により構成され、それぞれＬＰＦ１Ｌ、１Ｃ、１Ｒ、１ＳＷ、１ＬＳ、１ＲＳからの各オーディオ信号をΔΣ変調して、各チャネル共に伝送速度が９．６Ｍｂｐｓの１ビットストリームデータＢ（６ch）に変換し、このデータＢ（６ch）を２チャネルミキサ３１０と、データ変換器３−２とフォーマット化器４に転送する。ここで、この１ビットストリームデータＢ（６ch）はデジタル信号であるが、入力信号Ｌ、Ｃ、Ｒ、ＳＷ、ＬＳ、ＲＳのスペクトルがそのまま存在している。
【００１９】
データ変換器３−２はこの１ビットストリームデータＢ（６ch）の各チャネルをサンプリング周波数ｆｓが４８ｋＨｚ、９６ｋＨｚ又は１９２ｋＨｚ、量子化ビット数が１６ビット、２０ビット又は２４ビットのＰＣＭデータＡ（６ch）に変換し、この６チャネルＰＣＭデータＡ（６ch）をフォーマット化器４に出力する。
【００２０】
２チャネルミキサ３１０は６チャネルの１ビットストリームデータＢ（６ch）を２チャネル分の１ビットストリームデータＢ（２ch）に変換し、続くデータ変換器３−１はこの１ビットストリームデータＢ（２ch）の各チャネルをサンプリング周波数ｆｓが４４．１ｋＨｚ、量子化ビット数が１６ビットのＰＣＭデータＡ（２ch）に変換し、この２チャネルＰＣＭデータＡ（２ch）をフォーマット化器４に出力する。
【００２１】
フォーマット化器４はサンプリング周波数ｆｓが４４．１ｋＨｚ、量子化ビット数が１６ビットの２チャネルＰＣＭデータＡ（２ch）をＣＤ規格でフォーマット化し、続く変調器５はこれをＥＦＭ変調する。また、フォーマット化器４はサンプリング周波数ｆｓが４８ｋＨｚ、９６ｋＨｚ又は１９２ｋＨｚ、量子化ビット数が１６ビット、２０ビット又は２４ビットの６チャネルＰＣＭデータＡ（６ch）と６チャネルの１ビットストリームデータＢ（６ch）をＤＶＤ規格のオーディオパックにフォーマット化し、続く変調器５はこれらをＥＦＭplus変調する。
【００２２】
ここで、１層のＤＶＤオーディオディスクを製造する場合には、変調器５により変調されたデータは図示省略のＤＶＤカッティングマシン（プレーヤ）に供給されてＤＶＤオーディオディスクの原盤（マスタ）が製造される。次いでこの原盤の上に金属薄膜がスパッタ法とメッキ法により形成され、更に厚くメッキして原盤から剥離されてスタンパが製造される。次いでこのスタンパによりディスクの基になる基材が射出成形により形成されて貼り合わされ、ＤＶＤオーディオディスクが製造される。
【００２３】
これに対して、本発明のディスクを製造する場合には、２チャネルＰＣＭデータＡ（２ch）と、６チャネルＰＣＭデータ（６ch）と６チャネルの１ビットストリームデータＢ（６ch）の各変調データが独立してカッティングマシンに送られて、それぞれ第１ピット層１０１ａ用の第１の原盤と、第２ピット層１０２ａ用の第２の原盤と、第３ピット層１０２ｂ用の第３の原盤が製造され、次いでこの第１〜第３の原盤に基づいてそれぞれ第１〜第３のスタンパが製造される。そして、第１、第２のスタンパに基づいてそれぞれ図１に示すＣＤ層１０１の上面、下面に第１ピット層１０１ａ、第２ピット層１０２ａが形成されるとともに、第３のスタンパに基づいてＤＶＤ層１０２の上面に第３ピット層１０２ｂが形成される。最後に図１に示すように、ＣＤ層１０１とＤＶＤ層１０２が、反射率Ｒが１８％＜Ｒ＜３０％の半反射層（ＳＲＬ：Semi-Reflective Layer）を介して張り合わされて２層（実質的に３層）ディスクが形成される。
【００２４】
なお、第３ピット層１０２ｂに１ビットストリームデータＢを記録する場合には、図２において破線で示すように６チャネルの１ビットストリームデータＢ（６ch）と２チャネルの１ビットストリームデータＢ（２ch）の両方を記録するようにしてもよい。図３はこの場合の第３ピット層１０２ｂのフォーマットを示し、この情報エリアは、内周から外周に向かってリードインエリアと、データエリアとリードアウトエリアを有する。データエリアはファイルシステムエリアと、マスタＴＯＣエリアと、２チャネルステレオエリアと、マルチチャネルエリアとエクストラデータエリアを有する。２チャネルステレオエリアは詳しくは、エリアＴＯＣ１と、複数の２チャネルステレオオーディオトラックとエリアＴＯＣ２を有し、また、マルチチャネルエリアはエリアＴＯＣ１と、複数のマルチチャネルオーディオトラックとエリアＴＯＣ２を有する。
【００２５】
そして、２チャネルステレオエリアには上記の２チャネルの１ビットストリームデータＢ（２ch）が配置され、マルチチャネルエリアには６チャネルの１ビットストリームデータＢ（６ch）が配置される。また、後述するように第３ピット層１０２ｂのリードインエリアには１ビットストリームデータＢ（６ch）、Ｂ（２ch）の著作権を独立して管理するための第２の著作権管理データ（ＣＧＭＣＡＰＳコード）が配置される。
【００２６】
ここで、ＤＶＤの基本フォーマットにおけるオーディオ（Ａ）パック、ビデオ（Ｖ）パック、サブピクチャー（ＳＰ）パック、ＤＳＩパック、ＶＢＩパックはそれぞれ、図４に示すように２０３４バイトのＡパケット、Ｖパケット、ＳＰパケット、ＤＳＩパケット、ＶＢＩパケットに対して４バイトのパックスタート情報と、６バイトのＳＣＲ（System Clock Reference：システム時刻基準参照値）情報と、３バイトのMuxレート（rate）情報と１バイトのスタッフィングレングス（長）の合計１４バイトが付加されて構成されている（１パック＝合計２０４８バイト）。この場合、タイムスタンプであるＳＣＲ情報を、ＡＣＢユニット内の先頭パックでは「１」として同一アルバム内で連続とすることにより同一アルバム内のＡパックの時間を管理することができる。
【００２７】
これに対して、本発明のパッキング方法では、Ａパックは代わりに図６に示すように、１４バイトのパックヘッダとオーディオパケット（ＰＣＭ，１ビット）により構成され、オーディオパケットは９〜２９バイトのパケットヘッダ、１バイトのサブストリームＩＤ、３バイトのオーディオフレーム情報、３バイトのオーディオデータ情報（ＡＤＩ）及び２０１３バイトのオーディオデータ（ＰＣＭ）により構成される。そして、ＡＤＩのフィールドには、１ビットストリームデータを含むか否かを示す識別データが記述される。
【００２８】
また、Ｖパックは図５に示すように、１４バイトのパックヘッダとビデオパケットにより構成され、ビデオパケットは９〜２９バイトのパケットヘッダ及び２０２５バイト以下のビデオデータにより構成される。さらに、ＤＳＩパックは図７に示すように、１４バイトのパックヘッダとＤＳＩパケットにより構成され、ＤＳＩパケットは２４バイトのシステムヘッダと、６バイトのパケットヘッダと、１バイトのサブストリームＩＤと２００３バイトのＤＳＩデータにより構成される。また、ＶＢＩパックは図８に示すように、１４バイトのパックヘッダとＶＢＩパケットにより構成され、ＶＢＩパケットは９〜２９バイトのパケットヘッダと、１バイトのサブストリームＩＤと２０１９バイト以下のＶＢＩデータにより構成される。
【００２９】
また、第２ピット層１０２ａと第３ピット層１０２ｂの各リードイン部には、１６バイト（１２８ビット）ないし１８８バイト（１５０４ビット）の可変長の著作権管理情報（ＣＭＩ）エリアが設けられる。そして、このＣＭＩエリアには図９に示すように、例えば６４ビットのディスク製造年月日データと、５２ビットの工場コードと、８ビットのスクランブル用同期信号と、６０ビットのＩＳＲＣコード（International Standard Recording Code）と、８バイトのＳＩＤ（ソースＩＤ）コードと、著作権管理データを示す４ビットの第１のＣＧＭＣＡＰＳ（Copy Generation Management Control Audio Protection System）コードと同じく４ビットの第２のＣＧＭＣＡＰＳコードが記録される。このデータは数回繰り返して記録され、また、ＩＳＲＣコードとＳＩＤコードがスクランブルされて記録される。
【００３０】
第１、第２のＣＧＭＣＡＰＳコードは、リードイン部のコントロールデータ領域をあらかじめＲＡＭ領域として製造しておいて記録される。そして、第１のＣＧＭＣＡＰＳコードは、ＰＣＭ方式のデータ素材のコピーガード管理コードであり、また、その下位４ビットには同じデータが記録される。また、第２のＣＧＭＣＡＰＳコードは、１ビットストリーム方式のデータ素材（コンテンツ）のコピーガード管理コードであり、また、その下位４ビットには同じデータが記録される。
【００３１】
そして、図１０に示すように、この４ビットのデータの内、２ビット又は３ビットが実際のＣＧＭＣＡＰＳ情報として使用され、残りの１ビット又は２ビットはブランクとして使用される。このデータはまた、再生専用機（及び再生を行う録音再生機）に対しては再生許可／禁止情報として使用され、コピーを行う録音再生機に対してはコピー許可／禁止情報として使用される。なお、図１０に示すＣＧＭＣＡＰＳ情報の内容は、図１５、図１６に示すフローチャートを参照する際に詳細に説明する。
【００３２】
また、ディスク中に複数の曲が別々にコピー管理用のために管理されている場合には、それぞれに対してＣＧＭＣＡＰＳコードが設けられる。なお、第１、第２のＣＧＭＣＡＰＳコードの各々は各１バイトエリアに繰り返して記録する代わりに、図１１に示すように４ビット（実データは２又は３ビット）で構成して１バイトエリアに記録してもよい。また、第２ピット層１０２ａのリードイン部に第１のＣＧＭＣＡＰＳコードを記録し、第３ピット層１０２ｂのリードイン部に第２のＣＧＭＣＡＰＳコードを記録してもよい。さらに、ディスク内周のＣＭＩエリアに設ける代わりに、ＣＧＭＣＡＰＳコードなどが記憶されたメモリとＣＰＵを有するＩＣをディスクに埋め込み、再生専用機や録音再生機がこのＩＣに対して読み込み制御信号を送信してＣＧＭＣＡＰＳコードなどを読み込むようにしてもよい。
【００３３】
図１２は本発明のＤＶＤオーディオディスクやＤＶＤビデオディスクなどのディスク１０に記録されている信号を再生するための装置を示している。ドライブ装置１１は図１のディスク１００のＣＤ層１０１（第１ピット層１０１ａ）又はＤＶＤ層１０２（第２ピット層１０２ａ、第３ピット層１０２ｂ）を選択的に読み取るために２焦点ピックアップが使用される。この２焦点ピックアップは図１に示すように、ＣＤ層１０１に対しては反射率ＲがＲ＞７０％、波長＝７８０ｎｍで読み取り、ＤＶＤ層１０２に対しては反射率Ｒが１８％＜Ｒ＜３０％、波長＝６３５ｎｍで読み取る。そして、ＣＤ層１０１から読み取られた２チャネルＰＣＭデータは、ＥＦＭ復調された後、ＣＤデコーダ３００、２チャネル分のＤ／Ａ変換器４４、４５を介して出力され、他方、ＤＶＤ層１０２から読み取られた信号はＥＦＭplus復調される。
【００３４】
詳しく説明すると、ディスクドライブ装置１１はドライブ制御回路１２により制御され、ディスク１０はドライブ装置１１により駆動されて記録信号が読み出される。この信号は復調回路／誤り訂正回路１３によりＥＦＭ復調、ＥＦＭplus復調され、次いで誤り訂正された後、制御データを除くストリーム信号は書込み制御回路１５によりトラックバッファ１４に書き込まれ、また、制御データはシステムバッファ１７に書き込まれる。
【００３５】
システムコントローラ３２はシステムバッファ１７に書き込まれた制御データに基づいて再生制御を行う。システムコントローラ３２には再生制御を行うために操作部３０と、表示部３１と、リード／ライト可能なシステムパラメータメモリ３３と、再生専用のシステムパラメータメモリ３４と、リード／ライト可能な汎用パラメータメモリ３５とシステムタイマ３６が接続されている。
【００３６】
トラックバッファ１４に書き込まれたストリーム信号は読出し制御回路１６により読み出され、次いでデマルチプレクサ２３によりＶＢＶパック、サブピクチャパック、ＶＢＩパック、オーディオパック、ＤＳＩパックに分離され、各パックがそれぞれＶＢＶバッファ１８、サブピクチャバッファ１９、ＶＢＩバッファ２０、オーディオバッファ２１、ＤＳＩバッファ２２に蓄積される。そして、ＶＢＶパックはビデオデコーダ２８によりデコードされ、次いでレターボックス変換器２６を介して加算器２７に送られる。また、サブピクチャパック、ＶＢＩパックはそれぞれサブピクチャデコーダ２４、ＶＢＩデコーダ２５によりデコードされて加算器２７に送られ、加算器２７ではこれらのビデオ信号が合成される。また、オーディオパックはオーディオデコーダ２９に送られる。
【００３７】
オーディオデコーダ２９では、まず、オーディオパックがフォーマット分解器４１によりＰＣＭデータＡと１ビットストリームデータＢに分解される。ＰＣＭデータＡはチャネル分離器４２により例えば６チャネルのＰＣＭデータＡ（６ch）に分離され、各チャネルのＰＣＭデータＡ（６ch）はチャネル数分の６個のＤ／Ａ変換器４４、４５によりアナログ信号に変換されて出力される。また、１ビットストリームデータＢはチャネル分離器４３により例えば６チャネルの１ビットストリームデータＢ（６ch）に分離され、各チャネルのデータＢ（６ch）はチャネル数分のＬＰＦ４６、４７を介して出力される。
【００３８】
次に前述した図１０と図１３〜図１６を参照して再生処理を説明する。まず、図１３において、ＰＣＭ再生モードの指示が入力された場合にはシステムコントローラ３２がＰＣＭ再生モードをフォーマット分解器４１に設定し、また、そのモードを表示部３１に表示させる（ステップＳ１→Ｓ２）。他方、ステップＳ３において１ビットストリームモードの指示が入力された場合には、システムコントローラ３２は図１５、図１６に詳しく示すようにＣＧＭＣＡＰＳコードに基づいて「コピープロテクト管理」を実行し、次いで１ビットストリームモードをフォーマット分解器４１に設定し、また、そのモードを表示部３１に表示させる（ステップＳ４）。そして、再生モードが訂正されるとステップＳ５からステップＳ１に戻る。
【００３９】
図１４において、操作部３０からディスク再生指示があると、ディスクの読み取りが開始され、最初のパケットがオーディオバッファ２１に転送される。フォーマット分解器４１はＡＤＩが検出された時点でその中にディスク識別データがあるか否かを判断する（ステップＳ１１、Ｓ１２）。ここで、ディスク識別データがある場合には本発明に係るディスクであるのでステップＳ１３以下に進み、他方、ない場合にはＤＶＤ又はこの再生装置が再生不能ディスクであるので、再生動作を中止するとともにその旨を表示部３１に表示する。
【００４０】
ステップＳ１３では判別データがあるか否かを判断し、ない場合には図１５、図１６に詳しく示すようにＣＧＭＣＡＰＳコードに基づいて「コピープロテクト管理」を実行し、他方、判別データがある場合にはステップＳ１８以下に進む。ステップＳ１８では設定再生モードがＰＣＭモードか否かを判断し、ＰＣＭモードの場合にはステップＳ１９以下に進み、他方、ＰＣＭモードでない場合には「コピープロテクト管理」を実行する。
【００４１】
「コピープロテクト管理」の実行処理を終了すると、ステップＳ１４では設定再生モードがＰＣＭモードか否かを判断し、ＰＣＭモードの場合にはステップＳ１５以下に進み、他方、ＰＣＭモードでない場合にはステップＳ２２以下に進む。ステップＳ１５、Ｓ１７ではフォーマット分解器４１に対して第２ＰＣＭモードを設定し、これによりＤＶＤ層１０２の第２ピット層１０２ａにおける第２ＰＣＭ信号（データ）がデコードされて出力される。
【００４２】
また、ステップＳ１９、Ｓ２１ではフォーマット分解器４１に対して第１ＰＣＭモード（４４．１ｋＨｚモード）を設定し、これによりＣＤ層１０１の第１ピット層１０１ａにおけるサンプリング周波数ｆｓ＝４４．１ｋＨｚの第１ＰＣＭ信号がデコードされて出力される。また、ステップＳ２２、２４ではフォーマット分解器４１に対して１ビットストリームモードを設定し、これによりＤＶＤ層１０２の第３ピット層１０２ｂにおける伝送速度＝９．６Ｍｂｐｓの１ビットストリームデータがデコードされて出力される。
【００４３】
図１５は再生信号を他の媒体にコピーしない再生時のＣＧＭＣＡＰＳコード処理を示している。図１０、図１５において、まず、リードインエリアの情報を読み込み（ステップＳ３０）、次いでそのディスクがＲＯＭディスクか又はＲＡＭディスクかを判断する（ステップＳ３１、Ｓ３２）。そして、ＲＯＭディスクの場合には、ＣＧＭＣＡＰＳコードを判断して
・（１、１）のときには再生を禁止し（ステップＳ３３、Ｓ３４）、
・（１、０）のときには再生を禁止し（ステップＳ３５、Ｓ３６）、
・（１、０、１）のときには再生を禁止し（ステップＳ３７、Ｓ３８）、
・（０、０）のときには再生を許可し（ステップＳ３９、Ｓ４０）、
・ＣＧＭＣＡＰＳコードを検出しないときには再生を許可する（ステップＳ４１、Ｓ４２）。
【００４４】
また、ＲＡＭディスクの場合には、同じくＣＧＭＣＡＰＳコードを判断して
・（１、１）のときには再生を禁止し（ステップＳ４３、Ｓ４４）、
・（１、０）のときには再生を禁止し（ステップＳ４５、Ｓ４６）、
・（１、０、１）のときには再生を許可し（ステップＳ４７、Ｓ４８）、
・（０、０）のときには再生を許可し（ステップＳ４９、Ｓ５０）、
・ＣＧＭＣＡＰＳコードを検出しないときには再生を許可する（ステップＳ５１、Ｓ５２）。
【００４５】
次に、図１０、図１６を参照してコピー時の処理について説明する。まず、リードインエリアの情報を読み込み（ステップＳ６０）、次いでＣＧＭＣＡＰＳコードを判断して
・（１、１）のときにはコピーを禁止し（ステップＳ６１、Ｓ６２）、
・（１、０）のときにはコピー元ディスクのＣＧＭＣＡＰＳコードを（１、０、１）に書き換えてコピーを許可し（ステップＳ６３、Ｓ６４）、
・（１、０、１）のときにはコピーを禁止し（ステップＳ６５、Ｓ６６）、
・（０、０）のときにはコピーを許可し（ステップＳ６７、Ｓ６８）、
・ＣＧＭＣＡＰＳコードを検出しないときにはコピーを許可する（ステップＳ６９、Ｓ７０）。したがって、ＣＧＭＣＡＰＳコードが（１、０）から（１、０、１）のディスクは図１０、図１６に示すように再生を禁止される。また、ＣＧＭＣＡＰＳコードが（１、１）のディスクは、市販のプレーヤが再生することができず、特定のプレーヤのみが再生することができる特定用途向けである。
【００４６】
上記実施形態では、著作権管理データとしてＣＧＭＣＡＰＳコードを例にしたが、代わりに、図１７に示すようなＣＧＭＳ（Copy Generation Management System）コードを用いてもよい。このＣＧＭＳコードは３ビットにより構成され、第１ビットがコピー禁止か否かを示し、第２ビットが１回コピー許可か否かを示し、第３ビットが再度のコピー禁止か否かを示す。そして、ＣＧＭＳコードとして、コピー禁止のオリジナルＤＶＤには（１，×，×）が記録され、１回コピー許可のオリジナルＤＶＤには（０，１，０）が記録され、正当コピーＤＶＤには（０，１，１）が記録され、著作権なしのＤＶＤには（０，０，×）が記録される。
【００４７】
また、このＣＧＭＳコードやＣＧＭＣＡＰＳコードは、オーディオデータとは別のエリアに記録する代わりにオーディオデータに埋め込んで記録するようにしてもよく、また、両方に記録するようにしてもよい。図１８はＣＧＭＳコードをオーディオデータに埋め込む場合のエンコード装置の要部を示し、図１９はデコード装置のＣＧＭＳコード検出部を示している。図１８において、ＣＧＭＳコードをオーディオデータに埋め込んでも再生時に聴感上知得されないように各チャネルのオーディオデータの２５６バンドのスペクトラムが信号分析部２０１により検出され、埋め込みレベルが適応的に決定される。また、スペクトラム拡散部２０２によりＣＧＭＳコードがＰＮ符号を用いてスペクトラム拡散される。そしてこのスペクトラム拡散されたＣＧＭＳコードのレベルがスペクトラムシェーピング部２０３により上記の埋め込みレベルに応じて適応的に制御され、次いで加算部２０４によりオーディオデータと加算される。
【００４８】
図１９に示すＣＧＭＳコード検出部では、ＣＧＭＳコードが埋め込まれたオーディオデータがスペクトラム・ディシェープ部２１１に印加されて埋め込み前の元のスペクトラムに戻され、次いでサンプリング周波数（ｆ）変換部２１２によりダウンサンプリングされて乗算器２１３に印加される。乗算器２１３にはまた、ＰＮ信号発生部２１４が解読を困難にするための特殊なシークレットＣＧＭＳキーに基づいて発生するＰＮ信号が印加され、したがって、乗算器２１３によりＣＧＭＳコードが復調される。そして、ＣＧＭＳ検出部２１４が乗算器２１３の出力に基づいてＣＧＭＳコードを検出する。
【図面の簡単な説明】
【００４９】
【図１】本発明に係るオーディオディスクの一実施形態の構造を示す説明図である。
【図２】本発明に係るオーディオディスクのエンコード装置の一実施形態を示すブロック図である。
【図３】１ビットストリームデータの他の例をオーディオディスクに記録する場合の情報エリアのフォーマットを示す説明図である。
【図４】ＤＶＤにおけるパックのフォーマットを示す説明図である。
【図５】本発明に係るオーディオディスクにおけるビデオパックのフォーマットを示す説明図である。
【図６】本発明に係るオーディオディスクにおけるオーディオパックのフォーマットを示す説明図である。
【図７】本発明に係るオーディオディスクにおけるＤＳＩパックのフォーマットを示す説明図である。
【図８】本発明に係るオーディオディスクにおけるＶＢＩパックのフォーマットを示す説明図である。
【図９】本発明に係るオーディオディスクにおけるＣＭＩエリアのフォーマットを示す説明図である。
【図１０】図９のＣＧＭＣＡＰＳコードを詳しく示す説明図である。
【図１１】図９のＣＭＩエリアの変形例を示す説明図である。
【図１２】本発明に係るオーディオディスクの再生装置を示すブロック図である。
【図１３】図１２の再生装置のオーディオ再生処理を示すフローチャートである。
【図１４】図１２の再生装置のオーディオ再生処理を示すフローチャートである。
【図１５】図１３、図１４の再生時のＣＧＭＣＡＰＳコード処理を示すフローチャートである。
【図１６】オーディオディスクの録音再生装置のコピー時のＣＧＭＣＡＰＳコード処理を示すフローチャートである。
【図１７】著作権管理データの他の例としてＣＧＭＳコードを示す説明図である。
【図１８】ＣＧＭＳコードを埋め込む場合のエンコード装置の要部を示すブロック図である。
【図１９】デコード装置のＣＧＭＳコード検出部を示すブロック図である。
【符号の説明】
【００５０】
１  ＬＰＦ
２  アナログΔΣ変調器
３−１、３−２  データ変換器
４  フォーマット化器（フォーマット化手段）
２９  オーディオデコーダ（デコード手段）
１００  オーディオディスク
１０１ａ  第１ピット層（第１層）
１０２ａ  第２ピット層（第２層）
１０２ｂ  第３ピット層（第３層）
３１０  ２チャネルミキサ
【図１】
2004158191.tif 000003
【図２】
2004158191.tif 000004
【図３】
2004158191.tif 000005
【図４】
2004158191.tif 000006
【図５】
2004158191.tif 000007
【図６】
2004158191.tif 000008
【図７】
2004158191.tif 000009
【図８】
2004158191.tif 000010
【図９】
2004158191.tif 000011
【図１０】
2004158191.tif 000012
【図１１】
2004158191.tif 000013
【図１２】
2004158191.tif 000014
【図１３】
2004158191.tif 000015
【図１４】
2004158191.tif 000016
【図１５】
2004158191.tif 000017
【図１６】
2004158191.tif 000018
【図１７】
2004158191.tif 000019
【図１８】
2004158191.tif 000020
【図１９】
2004158191.tif 000021